(57)【要約】【課題】構造が簡単で安全性に優れ、コストが低廉なタンクコンテナ又はタンクローリー車の転落防止装置。【解決手段】棒材２を支柱３に回動可能に取り付けた安全柵１と支柱の基部に設けたアンカー４を備え、安全柵をトップフレーム５の側部に回動可能に取り付け、走行中は支柱を水平に倒して安全柵を収納し、作業中は支柱を立てるとともにアンカーを固定して安全柵を立設するタンクコンテナの転落防止装置。また、棒材を支柱に回動可能に取り付けた安全柵と支柱の基部に設けたアンカーを備え、安全柵をタンクローリー車の作業床の側部に設けた補強材に回動可能に取り付け、走行中は支柱を倒して安全柵を収納し、作業中は支柱を立てるとともにアンカーを固定して安全柵を立設するタンクローリー車の転落防止装置。【選択図】図１
0003118844.tif 000002
【実用新案登録請求の範囲】
【請求項１】
タンクコンテナのトップフレームに設置された転落防止装置であって、棒材を支柱に回動可能に取り付けた安全柵と支柱の基部に設けたアンカーを備え、安全柵をトップフレームの側部に回動可能に取り付け、走行中は支柱を倒して安全柵を収納し、作業中は支柱を立てるとともにアンカーを固定して安全柵を立設することを特徴とするタンクコンテナの転落防止装置。
【請求項２】
タンクローリー車の作業床に設置された転落防止装置であって、棒材を支柱に回動可能に取り付けた安全柵と支柱の基部に設けたアンカーを備え、安全柵を作業床の側部に設けた補強材に回動可能に取り付け、走行中は支柱を倒して安全柵を収納し、作業中は支柱を立てるとともにアンカーを固定して安全柵を立設することを特徴とするタンクローリー車の転落防止装置。
【考案の詳細な説明】
【技術分野】
【０００１】
本考案は、タンクコンテナ又はタンクローリー車の転落防止装置に関し、さらに詳しくは、石油や化学製品等の流体をタンクコンテナやタンクローリー車に積載又は排出する際に、作業者がタンク上部の作業床から転落することを防止する転落防止装置に関する。
【背景技術】
【０００２】
油送所等の出荷場で石油や化学製品等を積載するとき、又は製品受入所で製品を排出するときに、作業者がタンクコンテナやタンクローリー車のタンク上部の作業床に上がり、マンホールやバルブの開閉、積載量の計測、タンクの洗浄などの作業を行う必要がある。この作業中の転落事故を防止するために、高さ２０cm程度の安全柵が設置されている。従来の安全柵は低すぎて、転落事故を防止するには不満足のものであった。
【０００３】
これを解決するものとして、特許文献１には、安全柵の支柱をスライド式に伸縮可能として走行中は短縮して従来の高さとし、点検作業する際は油圧シリンダーを操作して支柱を伸ばして作業時の安全を図るタンクローリー車の転落防止柵が提案されている。しかしながら、特許文献１に記載された安全柵は、油圧シリンダーを必要とするため、油圧機器一式を搭載しなければならず、コスト面から採用は困難であった。
【０００４】
【特許文献１】実用新案登録第３０７８３９６号公報
【考案の開示】
【考案が解決しようとする課題】
【０００５】
本考案の目的は、構造が簡単で安全性に優れ、設置コストが低廉なタンクコンテナ又はタンクローリー車の転落防止装置を提供することにある。
【課題を解決するための手段】
【０００６】
すなわち、本考案は、タンクコンテナのトップフレームに設置された転落防止装置であって、棒材を支柱に回動可能に取り付けた安全柵と支柱の基部に設けたアンカーを備え、安全柵をトップフレームの側部に回動可能に取り付け、走行中は支柱を倒して安全柵を収納し、作業中は支柱を立てるとともにアンカーを固定して安全柵を立設することを特徴とするタンクコンテナの転落防止装置である。
【０００７】
また、本考案は、タンクローリー車の作業床に設置された転落防止装置であって、棒材を支柱に回動可能に取り付けた安全柵と支柱の基部に設けたアンカーを備え、安全柵を作業床の側部に設けた補強材に回動可能に取り付け、走行中は支柱を倒して安全柵を収納し、作業中は支柱を立てるとともにアンカーを固定して安全柵を立設することを特徴とするタンクローリー車の転落防止装置である。
【考案の効果】
【０００８】
本考案のタンクコンテナ又はタンクローリー車の転落防止装置は、構造が簡単で製作コストも低廉であり、安全性と操作性にも優れている。
【考案を実施するための最良の形態】
【０００９】
本考案の実施形態について図面により説明する。図１は、本考案に係わるタンクコンテナの転落防止装置の支柱を立てた作業中の状態を示す側面図、図２は、転落防止装置の支柱を倒した走行中の状態を示す側面図、図３は、アンカーの一例を示す側面図である。
【００１０】
本考案の転落防止装置は、棒材２と複数の支柱３〜３"を有する安全柵１と、支柱３の基部に設けたアンカー４で構成されている。棒材２は、支柱３〜３"に回動可能に取り付けられ、支柱３〜３"の基部は、タンク６の上部に設けたトップフレーム５の側部に回動可能に取り付けられている。なお、図には、支柱を３本とする実施例を掲げたが、２本ないし５本としてもよい。図２に示すように、支柱３等を垂直状態（点線で示す）から水平に倒すと、安全柵１は、長方形から菱形を経て、棒材２が倒れた支柱３等の上に重なった状態になってトップフレーム５の側部に収納される。
【００１１】
本考案の転落防止装置に用いるアンカー４には、安全柵１を立設したとき、支柱３を固定できるロック機能を有するものであればよい。好ましいアンカーとしては、図３に示すように、ストッパー７と、支柱３とストッパー７とを回動可能に連結する連結部材８を備え、トップフレーム５の側部に回動可能に取り付けたものが挙げられる。ストッパー７は、支柱３を倒したとき、トップフレーム５の所定位置までスライドし、支柱３を垂直にしたとき、自動ロックするものがよい。作業終了後に安全柵１を収納するには、ストッパー７のロックを解除して支柱３を倒せばよい。
【００１２】
本考案は、上記の実施形態に限定されるものではなく、ストッパー７は手動でロックしてもよく、支柱３を倒す方向が前方でも後方でもよい。また、作業者の利便から、アンカー４を後部の支柱３に取り付けた例を示したが、前部の支柱３'又は中央の支柱３"に取り付けることもできる。
【００１３】
また、本考案は、タンクローリー車の転落防止装置として実施できる。タンクローリー車は、作業床がタンク本体上部にに取り付けられているが、転落防止装置を設置するには強度が不足する。作業床に補強材をタンクの長さ方向に取り付け、この補強材に、タンクコンテナにおけるトップフレームと同様にして、前記転落防止装置を設置すればよい。
【００１４】
本考案の転落防止装置は、油圧機器を搭載する必要がなく、簡便な操作で安全柵を立設したり収納したりすることができ、立設した安全柵は確実に固定されて安全であり、構造が簡単で製作コストも低廉である。しかも、タンクコンテナの転落防止装置としてのみならず、タンクローリー車の転落防止装置としても好適である。
【図面の簡単な説明】
【００１５】
【図１】タンクコンテナの転落防止装置の支柱を立てた作業中の状態を示す側面図である。
【図２】転落防止装置の支柱を倒した走行中の状態を示す側面図である。
【図３】アンカーの一例を示す側面図である。
【符号の説明】
【００１６】
１：安全柵、２：棒材、３：支柱、４：アンカー、５：トップフレーム、６：タンク、７：ストッパー、８：連結部材、
【図１】
0003118844.tif 000003
【図２】
0003118844.tif 000004
【図３】
0003118844.tif 000005